(57)【要約】【課題】                                                                    釣り場の位置を移動する場合には、釣り竿と釣り道具箱と、竿立てを持参しながら移動するとかさばるため、極めて不便である。竿立てを釣り竿に取り付けたままで、投げ釣りもでき、竿立てを岩場の場合でも簡単に設置することができ、竿や釣り糸の損傷しない竿立てを提供するものである。【解決手段】                                                              一対の竿挟持部Ａ，Ｂを有し、竿挟持部Ａ，Ｂの支え材をそれぞれ下方に延長し交叉させ、竿立てに弾力を持たせるため支え材を略中間で略デルタ形Ｄに折り曲げて支柱２１，２２とし、左右の支柱２１，２２にはそれぞれ任意の位置に係止腕２５，２６を竿の先端側に突き出して設け、釣り場の堤防や岩場に係止できるように形成する。竿立ては竿挟持部の竿挟持金具１１，１２，１４，１５に面ファスナーを通して竿Ｓに被覆したビニールチューブの外側から巻き付けて固定する構造である。【選択図】 図１    
2005245340.tif 000002
【特許請求の範囲】
【請求項１】
竿に固定する一対の竿挟持部Ａ，Ｂからなり、竿挟持部Ａ，Ｂは竿挟持金具１１，１２と１４，１５を略方形に形成し、それぞれの頂部をＣ形の係止環１３，１６を巻いて連結した挟持金具１１、１２と１４，１５と、竿挟持金具１１，１２と１４，１５からそれぞれ下方に竿挟持部支え１８と１９、１７と２０を交叉させて延長し、竿挟持部Ａ，Ｂから支柱脚２３，２４との略中間に略デルタ形Ｄを形成した後、竿挟持部支え１８と１９、１７と２０を接触させて下部を結合させた支柱２１，２２と、支柱２１，２２を下方に延長した支柱脚２３，２４より任意の高さの位置に、釣り竿Ｓの先端側に向けて支柱２１，２２に繋止して突き出した係止腕２５，２６と、係止腕２５の繋止部近傍に、回転軸受け２７を設け、他方の係止腕２６の繋止部近傍に係止ストッパー２８を上方に向けてデルタ形Ｄ近くまで延長して設け、連結棒２９の一端のアイ環は回転軸受け２７に軸止し、他端のアイ環は係止ストッパー２８に挿入することを特徴とする携帯用簡易竿立て。
【請求項２】
竿を固定する一対の竿挟持部Ａ１，Ｂ１を同形の山形片Ｇ１，Ｇ２を形成し、山形片Ｇ１，Ｇ２のすそ野に面ファスナーＦ３，Ｆ４を挿通する孔３０，３１を開口し、竿挟持部Ａ１，Ｂ１の山形片Ｇ１，Ｇ２から支え材３２，３５と３３、３４，を下方に延長し、結合させて支柱３６，３７を構成し、支柱３６，３７の任意の高さの位置に係止腕３８，３９を繋止して竿先側に突き出し、支柱３６と３７を連結する連結棒４１を設けた携帯用簡易竿立て。
【発明の詳細な説明】
【技術分野】
【０００１】
この発明は、釣竿に携帯用簡易竿立てを取り付けたままの状態で磯や岸壁から投げ釣りができ、堤防や岩場又は釣り箱等に携帯用簡易竿立てを立てかけて置くことが可能で、釣り竿や釣り糸に傷を付けることがない携帯用簡易竿立てに関するものである。
【背景技術】
【０００２】
従来、この種の竿立てとしては、釣り竿にクリップで挟持して、クリップの把持部に脚を付けているものが公開されている。しかしながら、このクリップ式竿立ては強振する投げ釣りの伴わない場合は活用可能であるが、投げ釣りの醍醐味である竿を強振する投げ込みではこのクリップ式竿立ては実用上利用できない欠点を有している。
【０００３】
更に、釣り竿に取り付けるスタンド付き釣り竿が公開されているが、これは、投げ釣り竿の糸通しガイドがない釣り竿には効果を発揮するが、釣り竿のガイドが外に出ている竿はガイドが邪魔になり装着することができない決定的な欠陥がある。
【特許文献１】実開平５−７０７８号公報
【特許文献２】特開平１０−１３６８５６号公報
【発明の開示】
【発明が解決しようとする課題】
【０００４】
従来、釣に出かける場合、竿立てとしては、専用の釣り竿立てを持参し使用するのが一般的である。専用の釣り竿立てを使用する場合は、釣り位置を移動する場合には、釣り道具箱と、竿立てを持参しながら移動するとかさばるため、極めて不便である。岸壁、岩場、護岸堤防等で投げ釣りすると、コンクリート壁や岩場に釣り竿を立てかけ、大切にしている釣り竿と釣り糸に傷を付けることが頻繁にある。
前述のクリップ式竿立てはクリップで竿を挟持して、クリップの把持部に脚を付けているものが公開されている。しかしながら、このクリップ式竿立ては強振する投げ釣りの伴わない場合は有効であるが、投げ釣りの醍醐味である強振する竿の投げ込みではこのクリップ式竿立ては脚の質量によって竿立てが外れて飛んでいくことがあり実用上欠陥を有している。
【０００５】
更に、釣り竿に取り付けるスタンド付き釣り竿が公開されているが、これは、釣り竿の外側に糸通しがない釣り竿だけなら一定の効果を発揮するが、釣り竿の外側に糸通しガイドがある釣り竿には正しく装着出来ない欠点を有している。
【課題を解決するための手段】
【０００６】
釣り場の移動が手軽にでき、かつ竿立てを付けたままで勢い良く投げ釣りの醍醐味を味合うことのできる簡易竿立てを、試作を重ねた結果、本発明を完成させることができた。
本発明は竿にしっかり固定してあるため、人力で強振して投げ釣りをしても簡易竿立てはびくともせず竿に固定しており、釣り竿の曲がりにも追従して竿立てが曲がるので連続して投げ釣りを楽しむことができる。軽量でコンパクトにするため細い鉄線又はアルミ線等を組み合わせ軽量で弾力性のある構造を特徴としている。従って釣り場の移動も装着したまま何の苦労もせず、手軽に移動できるものである。又、コンクリートの上や岩場でも大切にしている竿や、釣り糸に損傷を与えることがない画期的なものである。
また、人力で強振して投げ釣りをするとき、釣り竿がたわむが、細い鉄線又はアルミ線等で弾力ある構造にしているため、釣り竿にも竿立てにもなんら無理のかからないものである。釣りを終了して道具箱に収納することも、またコンパクトに畳むこともできるので、ポケットに収納することも可能である。
本発明品の竿への着脱は、釣り糸をセットの前後でも、左右の支柱の間隔を保つための連結棒が簡単に連結と離脱ができるので自由に出来るものである。
【発明の効果】
【０００７】
１．まずコンパクトで畳める構造のため、取り扱いが容易である。道具箱にもポケット      にも入れて移動ができる、  
２．竿立てを釣り竿に付けたままで力いっぱいの投げ釣りも、置き竿釣りも自由自在にできる。
３．釣り場移動も、釣り糸をたぐり引き込めば竿立てを付けたままで簡単にできる。
４．大切な釣り竿も釣り糸も、コンクリートや岸壁に触れないので損傷することがない。
【発明を実施するための最良の形態】
【０００８】
以下本発明の実施の形態を説明する
本発明は図１図２図３に示すように、竿に固定する一対の竿挟持部Ａ，Ｂからなり、竿挟持部Ａ，Ｂは鉄線又はアルミ線材あるいは合成樹脂材等で竿挟持金具１１，１２と１４，１５を略方形に形成し、それぞれ頂部をＣ形の係止環１３，１６で巻いて遊嵌状態で連結する。Ｃ形の係止環１３，１６の開口部は半田又は線材等を巻いて繋止あるいは接着剤等で連結する。竿挟持金具１１，１２と１４，１５の端面から下方に竿挟持部支え１８と１９、１７と２０を互いに交叉させて延長し、竿挟持部Ａ，Ｂから支柱脚２３，２４の略中間に略デルタ形Ｄを形成した後、竿挟持部支え１８と１９、１７と２０を接触させて下部を結合させ、支柱２１，２２を構成する。支柱２１，２２の下方延長先の支柱脚２３，２４より任意の高さの位置に、係止腕２５，２６を釣り竿Ｓの先端側に向けて支柱２１，２２に繋止し突き出して設ける。支柱との繋止は鉄線またはアルミ線等を巻いて固定する。なお固定方法は半田又はＣ形筒状のもので半田又は圧縮あるいは接着剤を利用してもよい。係止腕２５の固定部近傍に、連結棒２９の回転軸２７を設け係止腕２６の固定部から係止ストッパー２８を上方に向けてデルタ形Ｄ近くまで延長して設ける。支柱２１，２２の間隔を保つため、連結棒２９は、一端は回転軸２７にはまるアイ環と他端には、係止ストッパー２８に挿入するアイ環を形成する。なお、回転軸２７と係止ストッパー２８の取付位置は支柱の左右を変更することもできる。
本発明の竿立てを使用するときは、釣り竿Ｓの糸通しガイドが下になるように置き、釣り竿の外周に柔軟性の任意の長さのビニールチューブＥを全長にわたって切れ目を入れて、竿にかぶせ、竿挟持金具１１と１２、１４と１５に面ファスナーＦ１，Ｆ２を通して巻き付け、竿挟持具に釣り竿に固く固定する。支柱２１，２２の間隔を保つため連結棒２９の一端のアイ環は回転軸２７に軸止し、他端のアイ環は係止ストッパー２８に挿入する。支柱脚２３，２４は足場の適当な位置に立て、係止腕２５，２６はコンクリート塀や岩場の滑りやすい時や、釣り箱を利用するとき、端面にすべり止めに利用する。
【実施例１】
【０００９】
他の実施例を図４を用いて説明する
一対の竿挟持部Ａ１，Ｂ１は同形の山形片Ｇ１，Ｇ２を形成し、山形片Ｇ１，Ｇ２のすそ野に面ファスナーＦ３，Ｆ４を通す孔３０，３１（図示せず）を開口する。竿挟持部Ａ１，Ｂ１の端面から支え材３２，３５と３３，３４を下方に延長させ、下部を結合させて支柱３６と３７を構成する。支柱脚より任意の高さに係止腕３８，３９を竿先端側に突き出して設け、係止腕３９の固定部近傍に、回転軸４０を設け、係止腕３８の固定部から係止ストッパー４１を上方に向けて延長して設ける。支柱３６，３７の間隔を保つため、連結棒４２は、一端は回転軸４０にはまるアイ環と他端には、係止ストッパー４１に挿入するアイ環を形成する。
これを使用するときは、釣り竿Ｓの糸通しガイドが下になるように置き、釣り竿の外周に柔軟性の任意の長さのビニールチューブＥを全長にわたって切れ目を入れて、竿にかぶせ、面ファスナーＦ３，Ｆ４を巻き付けて固定する。係止腕３８，３９はコンクリート塀や岩場の滑りやすいときや、釣り箱を利用するとき、端面にすべり止めとして利用する。
釣り竿に面ファスナーＦ３，Ｆ４で固く固定されるため、強振の投げ釣りでも本発明の簡易竿立てはトラブルが発生しないことを確認したものである。なお、支え材３２，３５と３３，３４は前述のデルタ形を設けることもできる。なお、回転軸４０と係止ストッパー４１の取付位置は支柱の左右を変更することもできる。
【産業上の利用可能性】
【００１０】
本発明は、特に醍醐味のある強振する投げ釣りを楽しむ必需品である。本簡易竿立ては構造が弾性体であり、竿への取付も柔軟性ビニールを巻き面ファスナーで強固に固定される。従来にない機能を有している。しかもコンパクトであり、取付取り外しが簡単であり、収納や、持ち運び等に優れており、釣り人の待望の竿立てであることが、実験中の釣り人の関心の高さからも言えるものである。
【図面の簡単な説明】
【００１１】
【図１】本発明の竿立ての斜視図である
【図２】本発明の竿立ての略平面図である
【図３】本発明の竿挟持部に面ファスナーの固定状態図である。            （ａ）組立状態   （ｂ）面ファスナー巻き付け状態を示す
【図４】本発明の他の実施例図を示す。            （ａ）組立状態   （ｂ）面ファスナー巻き付け状態を示す
【符号の説明】
【００１２】
Ａ   竿挟持部                     Ａ１  竿挟持部
Ｂ   竿挟持部                     Ｂ１  竿挟持部
Ｄ   デルタ形                     Ｆ１  面ファスナー
１１  竿挟持金具                   Ｆ２  面ファスナー
１２  竿挟持金具                   Ｆ３  面ファスナー         
１３  係止環                       Ｆ４  面ファスナー         
１４  竿挟持金具                   Ｅ    ビニールチューブ     
１５  竿挟持金具                   Ｇ１  山形片               
１６  係止環                       Ｇ２  山形片              
１７  竿挟持部支え                 ３０  通し孔                
１８  竿挟持部支え                 ３１  通し孔               
１９  竿挟持部支え                 ３２  竿挟持部支え        
２０  竿挟持部支え                 ３３  竿挟持部支え        
２１  支柱                         ３４  竿挟持部支え        
２２  支柱                         ３５  竿挟持部支え        
２３  支柱脚                       ３６  支柱                
２４  支柱脚                       ３７  支柱                
２５  係止腕                       ３８  係止腕              
２６  係止腕                       ３９  係止腕              
２７  回転軸                       ４０  回転軸     
２８  係止ストッパー               ４１  係止ストッパー     
２９  連結棒                       ４２  連結棒    
Ｓ    釣り竿                               
【図１】
2005245340.tif 000003
【図２】
2005245340.tif 000004
【図３】
2005245340.tif 000005
【図４】
2005245340.tif 000006